(57)【特許請求の範囲】
【請求項１】
躯体に設置される構造体と、
乗降部の床を構成するプレート部を有し、前記構造体の上に設置される床プレート体と、
前記床プレート体を前記構造体に固定する固定体と、を備え、
前記プレート部は、前記固定体に挿入される挿入孔を備え、
前記固定体は、前記プレート部の上方側から操作可能な操作部と、前記プレート部よりも下方側に配置される雄ネジ部と、前記プレート部が上方向へ移動することを規制する規制部と、を備え、
前記構造体は、前記雄ネジ部と螺合する雌ネジ部を有する被固定部と、前記被固定部が横方向に移動することを許容し且つ前記被固定部が上下方向に移動することを規制するように、前記被固定部を保持する保持部と、を備え、
前記挿入孔の内幅は、前記雄ネジ部の外径よりも大きく、
前記操作部は、下端部が前記規制部を構成するために、前記挿入孔の内幅よりも大きい外幅を有し、
前記構造体は、前記被固定部が上方向へ移動することに伴って弾性変形して前記被固定部に下方向の弾性力を与える弾性部を備える、マンコンベヤ。
【請求項２】
前記弾性部は、前記雄ネジ部が前記雌ネジ部から離れる際に、復元状態である、請求項１に記載のマンコンベヤ。
【請求項３】
躯体に設置される構造体と、
乗降部の床を構成するプレート部を有し、前記構造体の上に設置される床プレート体と、
前記床プレート体を前記構造体に固定する固定体と、を備え、
前記プレート部は、前記固定体に挿入される挿入孔を備え、
前記固定体は、前記プレート部の上方側から操作可能な操作部と、前記プレート部よりも下方側に配置される雄ネジ部と、前記プレート部が上方向へ移動することを規制する規制部と、を備え、
前記構造体は、前記雄ネジ部と螺合する雌ネジ部を有する被固定部と、前記被固定部が横方向に移動することを許容し且つ前記被固定部が上下方向に移動することを規制するように、前記被固定部を保持する保持部と、を備え、
前記固定体は、下端部に、前記雄ネジ部の外径よりも小さい外幅を有する幅狭部を備え、
前記幅狭部の長さは、前記挿入孔と前記被固定部との間の距離よりも、短い、マンコンベヤ。
【請求項４】
前記操作部の外幅は、前記挿入孔の内幅よりも大きく、
前記プレート部は、前記挿入孔の上方側に、前記操作部を収容するために前記操作部の外幅よりも大きい内幅を有する収容孔を備え、
前記固定体は、下端部が前記被固定部に当たる際に前記操作部の全体が前記収容孔から上方側へ出るように、形成される、請求項３に記載のマンコンベヤ。
【発明の詳細な説明】
【技術分野】
【０００１】
本出願は、マンコンベヤに関する。
【背景技術】
【０００２】
従来、例えば、マンコンベヤは、躯体に設置される構造体と、乗降部の床を構成するプレート部を有して構造体の上に設置される床プレート体とを備えている（例えば、特許文献１）。そして、床プレート体は、例えば、風などの力によって構造体から外れないように、構造体に固定されている。とこで、特許文献１に係るマンコンベヤとは異なった構造で、床プレート体が構造体から外れることを抑制できるマンコンベヤが要望されている。
【先行技術文献】
【特許文献】
【０００３】
【特許文献１】特開２０１７−１９０２２９号公報
【発明の概要】
【発明が解決しようとする課題】
【０００４】
そこで、課題は、床プレート体が構造体から外れることを抑制できるマンコンベヤを提供することである。
【課題を解決するための手段】
【０００５】
マンコンベヤは、躯体に設置される構造体と、乗降部の床を構成するプレート部を有し、前記構造体の上に設置される床プレート体と、前記床プレート体を前記構造体に固定する固定体と、を備え、前記プレート部は、前記固定体に挿入される挿入孔を備え、前記固定体は、前記プレート部の上方側から操作可能な操作部と、前記プレート部よりも下方側に配置される雄ネジ部と、前記プレート部が上方向へ移動することを規制する規制部と、を備え、前記構造体は、前記雄ネジ部と螺合する雌ネジ部を有する被固定部と、前記被固定部が横方向に移動することを許容し且つ前記被固定部が上下方向に移動することを規制するように、前記被固定部を保持する保持部と、を備える。
【０００６】
また、マンコンベヤにおいては、前記挿入孔の内幅は、前記雄ネジ部の外径よりも大きく、前記操作部は、下端部が前記規制部を構成するために、前記挿入孔の内幅よりも大きい外幅を有し、前記構造体は、前記被固定部が上方向へ移動することに伴って弾性変形して前記被固定部に下方向の弾性力を与える弾性部を備える、という構成でもよい。
【０００７】
また、マンコンベヤにおいては、前記弾性部は、前記雄ネジ部が前記雌ネジ部から離れる際に、復元状態である、という構成でもよい。
【０００８】
また、マンコンベヤにおいては、前記固定体は、下端部に、前記雄ネジ部の外径よりも小さい外幅を有する幅狭部を備える、という構成でもよい。
【０００９】
また、マンコンベヤにおいては、前記操作部の外幅は、前記挿入孔の内幅よりも大きく、前記プレート部は、前記挿入孔の上方側に、前記操作部を収容するために前記操作部の外幅よりも大きい内幅を有する収容孔を備え、前記固定体は、下端部が前記被固定部に当たる際に前記操作部の全体が前記収容孔から上方側へ出るように、形成される、という構成でもよい。
【００１０】
また、マンコンベヤにおいては、前記幅狭部の長さは、前記挿入孔と前記被固定部との間の距離よりも、短い、という構成でもよい。
【図面の簡単な説明】
【００１１】
【図１】図１は、一実施形態に係るマンコンベヤの概要図である。
【図２】図２は、同実施形態に係るマンコンベヤの乗降部の平面図である。
【図３】図３は、図２のIII−III線拡大断面図である。
【図４】図４は、図３のIV−IV線拡大断面図である。
【図５】図５は、図３のＶ−Ｖ線拡大断面図である。
【図６】図６は、同実施形態に係るマンコンベヤの要部縦断面図（図４の位置の断面図）であって、固定体による固定方法の説明図である。
【図７】図７は、同実施形態に係るマンコンベヤの要部縦断面図（図５の位置の断面図）であって、固定体による固定方法の説明図である。
【図８】図８は、同実施形態に係るマンコンベヤの要部縦断面図（図５の位置の断面図）であって、固定体による固定方法の説明図である。
【図９】図９は、同実施形態に係るマンコンベヤの要部縦断面図（図５の位置の断面図）であって、固定体による固定方法の説明図である。
【図１０】図１０は、同実施形態に係るマンコンベヤの要部縦断面図（図５の位置の断面図）であって、固定体による固定方法の説明図である。
【図１１】図１１は、同実施形態に係るマンコンベヤの要部縦断面図（図５の位置の断面図）であって、工具が取り付けられた図である。
【図１２】図１２は、他の実施形態に係るマンコンベヤの要部縦断面図である。
【図１３】図１３は、同実施形態に係るマンコンベヤの要部縦断面図であって、固定体による固定方法の説明図である。
【図１４】図１４は、同実施形態に係るマンコンベヤの要部縦断面図であって、固定体による固定方法の説明図である。
【図１５】図１５は、さらに他の実施形態に係るマンコンベヤの要部縦断面図である。
【図１６】図１６は、同実施形態に係るマンコンベヤの要部縦断面図であって、固定体による固定方法の説明図である。
【図１７】図１７は、同実施形態に係るマンコンベヤの要部縦断面図であって、固定体による固定方法の説明図である。
【図１８】図１８は、さらに他の実施形態に係るマンコンベヤの要部縦断面図であって、固定体による固定方法の説明図である。
【図１９】図１９は、同実施形態に係るマンコンベヤの要部縦断面図であって、固定体による固定方法の説明図である。
【発明を実施するための形態】
【００１２】
以下、マンコンベヤにおける一実施形態について、図１〜図１１を参照しながら説明する。なお、各図（図１２〜図１９も同様）において、図面の寸法比と実際の寸法比とは、必ずしも一致しておらず、また、各図面の間での寸法比も、必ずしも一致していない。
【００１３】
図１に示すように、本実施形態に係るマンコンベヤ１は、躯体に設置される構造体２と、人を前後方向Ｄ１へ搬送する搬送部３と、搬送部３を幅方向Ｄ２で挟むように配置される一対の欄干部４，４（図１においては、一つのみを図示している）とを備えている。また、マンコンベヤ１は、搬送部３及び欄干部４を駆動させる駆動部５を備えている。
【００１４】
本実施形態に係るマンコンベヤ１は、人を搬送するために、踏面が階段状になるエスカレータであるが、斯かる構成に限られない。例えば、マンコンベヤ１は、人を搬送するために、踏面が平面状となる移動歩道（動く歩道）であってもよい。
【００１５】
搬送部３は、駆動部５に駆動されることによって無端回転する環状の走行部（例えば、チェーン）３ａと、走行部３ａに対して回転可能に接続され、人が乗る踏面を有する複数のステップ３ｂとを備えている。走行部３ａは、幅方向Ｄ２に離れて一対（図１においては、一つのみを図示している）設けられている。そして、複数のステップ３ｂは、一対の走行部３ａ，３ａの間に配置され、それぞれの走行部３ａに対して回転可能に接続されている。
【００１６】
欄干部４は、無端回転する環状の手摺ベルト４ａと、手摺ベルト４ａを支持するベルト支持部４ｂとを備えている。駆動部５は、ステップ３ｂが反転するように、走行部３ａが巻き掛けられる回転部（例えば、スプロケット、鎖歯車）５ａ，５ａと、走行部３ａが無端回転してステップ３ｂが走行するように、回転部５ａを回転させる駆動源５ｂとを備えている。
【００１７】
そして、駆動部５の駆動が手摺ベルト４ａに伝達されることによって、手摺ベルト４ａは、走行部３ａの無端回転及びステップ３ｂの走行と同期して、無端回転する。そして、手摺ベルト４ａの回転速度は、走行部３ａの回転速度及びステップ３ｂの走行速度にそれぞれ比例している。
【００１８】
そして、マンコンベヤ１は、回転部５ａ，５ａの回転方向を変更することによって、走行部３ａの回転方向、ステップ３ｂの走行方向及び手摺ベルト４ａの回転方向をそれぞれ変更可能である。これにより、マンコンベヤ１は、人を上方向へ搬送する状態と下方向へ搬送する状態とに切り替え可能である。
【００１９】
構造体２は、各構成３〜５を支持している。また、構造体２は、前後方向Ｄ１のそれぞれの端部に、機械室２ａ，２ａを備えている。具体的には、構造体２は、マンコンベヤ１の各乗降部１ａの下方側に、機械室２ａ，２ａを備えている。なお、マンコンベヤ１は、各乗降部１ａの床を構成する乗降床部１ｂを備えている。乗降床部１ｂは、各機械室２ａ，２ａを上方側から覆うように、構造体２の上に設置されている。
【００２０】
図２に示すように、乗降床部１ｂは、乗降部１ａの床を構成するために、構造体２の上に設置される複数の床プレート体６を備えている。なお、床プレート体６の個数は、特に限定されないが、本実施形態においては、４つとしている。
【００２１】
ここで、前後方向Ｄ１の端部に配置される床プレート体６と、構造体２との固定機構を図３〜図５を参照しながら説明する。なお、他の床プレート体６と構造体２との固定機構は、例えば、図３〜図５に係る固定機構と同じ構成でもよく、また、例えば、図３〜図５に係る固定機構と異なる構成でもよい。
【００２２】
図３〜図５に示すように、マンコンベヤ１は、床プレート体６を構造体２に固定する固定体７を備えている。なお、以下の説明においては、床プレート体６及び固定体７のそれぞれ方向（例えば、上、下）は、床プレート体６が固定体７によって構造体２に固定された状態における方向のことである。
【００２３】
図３に示すように、構造体２は、躯体に設置される構造本体部２ｂを備えている。構造本体部２ｂは、例えば、トラス構造又はケタ構造を構成する上枠部２ｃと、上枠部２ｃに連結される連結部２ｄとを備えている。なお、上枠部２ｃ及び連結部２ｄは、特に限定されないが、図示していない締結手段（ボルト及びナット）又は溶接によって、互いに固定されている。
【００２４】
床プレート体６は、乗降部１ａの床を構成する板状のプレート部６ａと、プレート部６ａを補強するために、プレート部６ａの下面に連結される長尺な補強部６ｂ，６ｂとを備えている。また、床プレート体６は、構造体２に対するプレート部６ａの上下方向Ｄ３の位置を変更可能な位置変更部６ｃを備えている。
【００２５】
特に限定されないが、本実施形態においては、第１の補強部６ｂは、前後方向Ｄ１に沿って延びており、断面形状は、略Ｌ字状である。また、特に限定されないが、本実施形態においては、第２の補強部６ｂは、幅方向Ｄ２に沿って延びており、断面形状は、略Ｕ字状である。
【００２６】
また、特に限定されないが、本実施形態においては、位置変更部６ｃは、補強部６ｂに固定されるナット６ｄと、ナット６ｄと螺合し、構造体２の上枠部２ｃの上に載るボルト６ｅとを備えている。そして、補強部６ｂから下方向に突出するボルト６ｅの長さが変更されることによって、構造体２に対するプレート部６ａの上下方向Ｄ３の位置が変更される。
【００２７】
図４及び図５に示すように、固定体７は、プレート部６ａの上方側から操作可能な操作部７ａと、下端部に配置される幅狭部７ｂと、操作部７ａと幅狭部７ｂとの間に配置される幅広部７ｃとを備えている。なお、操作部７ａの外幅は、幅広部７ｃの外幅よりも、大きくなっており、幅狭部７ｂの外幅は、幅広部７ｃの外幅よりも、小さくなっている。
【００２８】
操作部７ａは、固定体７の上端部に配置されている。そして、操作部７ａは、プレート部６ａから上方側に露出している。また、幅広部７ｃは、少なくとも下端部に雄ネジ部７ｄを備えており、幅狭部７ｂと連接している。そして、雄ネジ部７ｄは、プレート部６ａよりも下方側に配置されている。
【００２９】
プレート部６ａは、固定体７に挿入される挿入孔６ｆと、挿入孔６ｆの上方側に、固定体７の操作部７ａを収容するために、操作部７ａの外幅よりも大きい内幅を有する収容孔６ｇとを備えている。そして、収容孔６ｇの深さ（上下方向Ｄ３の寸法）は、操作部７ａの高さ（上下方向Ｄ３の寸法）よりも、大きくなっている。これにより、収容孔６ｇが操作部７ａの全体を収容するため、操作部７ａがプレート部６ａから上方向へ突出することを抑制することができる。
【００３０】
特に限定されないが、本実施形態においては、プレート部６ａの挿入孔６ｆは、内周部に雌ネジを備えている。なお、挿入孔６ｆの内幅は、固定体７の雄ネジ部７ｄの外径よりも、大きくなっている。これにより、固定体７の雄ネジ部７ｄは、挿入孔６ｆの内周部の雌ネジと螺合しない。
【００３１】
また、固定体７の操作部７ａは、プレート部６ａが上方向へ移動することを規制する第１規制部７ｅを備えている。具体的には、操作部７ａの外幅は、プレート部６ａの挿入孔６ｆの内幅よりも大きくなっており、第１規制部７ｅは、操作部７ａの下端部に配置されている。そして、固定体７の第１規制部７ｅがプレート部６ａの挿入孔６ｆの上開口端部を止めることによって、プレート部６ａは、上方向へ移動することを規制される。
【００３２】
構造体２は、固定体７に固定される被固定部２ｅと、被固定部２ｅを保持する保持部２ｆとを備えている。被固定部２ｅは、固定体７の雄ネジ部７ｄと螺合する雌ネジ部２ｇを備えている。そして、固定体７の雄ネジ部７ｄと被固定部２ｅの雌ネジ部２ｇとが螺合することによって、被固定部２ｅは、固定体７に固定される。
【００３３】
保持部２ｆは、被固定部２ｅを下方側から支持可能な支持部２ｈと、被固定部２ｅが上方向へ移動することを規制する第２規制部２ｉとを備えている。具体的には、第２規制部２ｉは、被固定部２ｅの上方側に配置され、第２規制部２ｉと支持部２ｈとは、被固定部２ｅを上下方向Ｄ３で挟んでいる。
【００３４】
特に限定されないが、本実施形態においては、保持部２ｆは、ボルト２ｊ、ナット２ｋ及び平ワッシャ２ｍを備えている。そして、被固定部２ｅは、ボルト２ｊに挿通される挿通孔２ｎを備えており、支持部２ｈは、ボルト２ｊと螺合する雌ネジ２ｐと、固定体７に挿通される挿通孔２ｑとを備えている。
【００３５】
これにより、被固定部２ｅは、支持部２ｈによって、下方向へ移動することを規制されると共に、被固定部２ｅは、ボルト２ｊの頭部２ｒ及び平ワッシャ２ｍによって、上方向へ移動することを規制されている。即ち、本実施形態においては、第２規制部２ｉは、ボルト２ｊの頭部２ｒ及び平ワッシャ２ｍで構成されている。
【００３６】
また、被固定部２ｅの挿通孔２ｎの内幅は、ボルト２ｊのネジ外径よりも大きくなっているため、被固定部２ｅは、支持部２ｈ及び第２規制部２ｉ間を横方向Ｄ１，Ｄ２に移動可能である。このように、保持部２ｆは、被固定部２ｅが構造本体部２ｂに対して横方向Ｄ１，Ｄ２に移動することを許容し且つ上下方向Ｄ３に移動することを規制するように、被固定部２ｅを保持している。
【００３７】
なお、被固定部２ｅの挿通孔２ｎがボルト２ｊに当たることによって、被固定部２ｅは、横方向Ｄ１，Ｄ２に所定距離を超えて移動することを規制されている。また、特に限定されないが、本実施形態においては、支持部２ｈは、連結部２ｄの先端部に設けられている。また、特に限定されないが、ボルト２ｊは、支持部２ｈの雌ネジ２ｐとナット２ｋと螺合しており、所謂、ダブルナット構造が採用されている。これにより、ボルト２ｊが支持部２ｈの雌ネジ２ｐに対して緩むことを抑制することができる。
【００３８】
また、構造体２は、被固定部２ｅが保持部２ｆに対して上方向へ移動することに伴って弾性変形する弾性部２ｓを備えている。そして、弾性部２ｓは、上下方向Ｄ３に弾性変形することによって、被固定部２ｅに下方向の弾性力を与える。なお、特に限定されないが、本実施形態においては、弾性部２ｓは、スプリングワッシャとしており、ボルト２ｊの頭部２ｒと平ワッシャ２ｍとの間に配置されている。
【００３９】
ここで、固定体７によって床プレート体６を構造体２に固定する方法について、図６〜図１０を参照しながら説明する。
【００４０】
図６及び図７に示すように、床プレート体６が構造体２の上に載せられた後、固定体７は、プレート部６ａの収容孔６ｇ及び挿入孔６ｆに挿入される。このとき、固定体７の操作部７ａが、プレート部６ａから上方側へ露出しているため、プレート部６ａの上方側から操作部７ａを操作することができる。
【００４１】
ところで、固定体７の幅狭部７ｂの長さＬ１は、プレート部６ａの挿入孔６ｆと被固定部２ｅとの間の距離Ｌ２よりも、短くなっている。これにより、図７に示すように、固定体７の下端部が被固定部２ｅに当たる際に、固定体７のうち、幅狭部７ｂよりも上方側の幅広部７ｃが、プレート部６ａの挿入孔６ｆの内周部に当たることになる。
【００４２】
これにより、幅狭部７ｂが挿入孔６ｆの内周部に当たる場合と比較して、固定体７が横方向Ｄ１，Ｄ２に揺動できる範囲を小さくすることができる。したがって、固定体７の下端部が被固定部２ｅの雌ネジ部２ｇから離れることを抑制することができる。
【００４３】
また、固定体７の長さが十分に長いため、固定体７の下端部が被固定部２ｅに当たる際に、固定体７の操作部７ａの全体は、プレート部６ａの収容孔６ｇから上方側へ出ている。これにより、固定体７の下端部が被固定部２ｅの雌ネジ部２ｇの内部に挿入させる際に、操作部７ａの全体を操作する（例えば、把持する）ことができる。
【００４４】
このように、固定体７が横方向Ｄ１，Ｄ２に揺動できる範囲を小さくすることができ、そして、操作部７ａの全体を操作することができる。そして、それらに加えて、固定体７の下端部は、幅狭部７ｂで構成されている。したがって、例えば、図８に示すように、固定体７の下端部の幅狭部７ｂを被固定部２ｅの雌ネジ部２ｇに挿入させることが容易になる。
【００４５】
ところで、固定体７の雄ネジ部７ｄと被固定部２ｅの雌ネジ部２ｇとの位置がずれている場合には、被固定部２ｅを横方向Ｄ１，Ｄ２に移動させる必要がある。そして、固定体７の雄ネジ部７ｄが、被固定部２ｅの雌ネジ部２ｇから離れている際に、弾性部２ｓは、弾性変形することなく、復元状態である。
【００４６】
これにより、弾性部２ｓの弾性力が、被固定部２ｅに与えられていないため、保持部２ｆ（支持部２ｈ及び第２規制部２ｉ）に対して、被固定部２ｅを横方向Ｄ１，Ｄ２に容易に移動させることができる。したがって、例えば、図９に示すように、固定体７の雄ネジ部７ｄと被固定部２ｅの雌ネジ部２ｇとの位置を容易に合わせることができる。
【００４７】
そして、固定体７の操作部７ａを操作することによって、固定部７の雄ネジ部７ｄは、被固定部２ｅの雌ネジ部２ｇと螺合する。このとき、操作部７ａの下端部の第１規制部７ｅが、プレート部６ａの挿入孔６ｆの上開口端部に当たるまで、固定体７は、プレート部６ａに対して下方向に移動する。
【００４８】
そして、操作部７ａの第１規制部７ｅが、プレート部６ａの挿入孔６ｆの上開口端部に当たった後は、被固定部２ｅは、支持部２ｈから離れて、支持部２ｈに対して上方向へ移動する。その後、最終的には、被固定部２ｅは、第２規制部２ｉ（ボルト２ｊの頭部２ｒ及び平ワッシャ２ｍ）によって移動を規制される位置で停止する。
【００４９】
そして、被固定部２ｅの移動に伴って、弾性部２ｓは、上下方向Ｄ３に圧縮するように、弾性変形する。これにより、弾性部２ｓが下方向の弾性力を被固定部２ｅに与えているため、固定体７の雄ネジ部７ｄと被固定部２ｅの雌ネジ部２ｇとの間でネジ緩みが発生することを抑制することができる。このようにして、床プレート体６が固定体７によって構造体２に固定される。
【００５０】
なお、図１１に示すように、プレート部６ａの挿入孔６ｆの内周部に設けられる雌ネジは、工具Ｘ１の雄ネジと螺合可能である。これにより、固定体７をプレート部６ａから取り外し、工具Ｘ１をプレート部６ａに取り付けることで、工具Ｘ１を用いて、床プレート体６を構造体２から容易に取り外すことができる。なお、例えば、挿入孔６ｆの内周部は、滑らかな面であってもよく、また、例えば、固定体７は、プレート部６ａから完全に取り外せられない、という構成でもよい。
【００５１】
以上より、本実施形態に係るマンコンベヤ１は、躯体に設置される構造体２と、乗降部１ａの床を構成するプレート部６ａを有し、前記構造体２の上に設置される床プレート体６と、前記床プレート体６を前記構造体２に固定する固定体７と、を備え、前記プレート部６ａは、前記固定体７に挿入される挿入孔６ｆを備え、前記固定体７は、前記プレート部６ａの上方側から操作可能な操作部７ａと、前記プレート部６ａよりも下方側に配置される雄ネジ部７ｄと、前記プレート部６ａが上方向へ移動することを規制する規制部７ｅと、を備え、前記構造体２は、前記雄ネジ部７ｄと螺合する雌ネジ部２ｇを有する被固定部２ｅと、前記被固定部２ｅが横方向Ｄ１，Ｄ２に移動することを許容し且つ前記被固定部２ｅが上下方向Ｄ３に移動することを規制するように、前記被固定部２ｅを保持する保持部２ｆと、を備える。
【００５２】
斯かる構成によれば、保持部２ｆは、被固定部２ｅが横方向Ｄ１，Ｄ２に移動することを許容する。これにより、床プレート体６が構造体２に設置される際に、構造体２に対するプレート部６ａの位置が変化しても、被固定部２ｅが横方向Ｄ１，Ｄ２に移動することによって、固定体７の雄ネジ部７ｄが被固定部２ｅの雌ネジ部２ｇと螺合できる。これにより、固定体７と被固定部２ｅとは、互いに固定される。
【００５３】
そして、固定体７の規制部７ｅは、プレート部６ａが上方向へ移動することを規制し、且つ、保持部２ｆは、被固定部２ｅが上下方向Ｄ３に移動することを規制する。これにより、プレート部６ａが構造体２から上方向へ離れることを規制することができるため、床プレート体６が構造体２から外れることを抑制できる。
【００５４】
また、本実施形態に係るマンコンベヤ１においては、前記挿入孔６ｆの内幅は、前記雄ネジ部７ｄの外径よりも大きく、前記操作部７ａは、下端部が前記規制部７ｅを構成するために、前記挿入孔６ｆの内幅よりも大きい外幅を有し、前記構造体２は、前記被固定部２ｅが上方向へ移動することに伴って弾性変形して前記被固定部２ｅに下方向の弾性力を与える弾性部２ｓを備える、という構成である。
【００５５】
斯かる構成によれば、挿入孔６ｆの内幅が、雄ネジ部７ｄの外径よりも大きく、操作部７ａの外幅が、挿入孔６ｆの内幅よりも大きくなっている。これにより、操作部７ａの下端部は、挿入孔６ｆの上開口端部を止めることによって、規制部７ｅを構成する。そして、規制部７ｅが挿入孔６ｆの上開口端部と当たった状態で、固定体７の雄ネジ部７ｄが被固定部２ｅの雌ネジ部２ｇと螺合される。
【００５６】
これにより、被固定部２ｅは、保持部２ｆによって移動を規制される位置まで、上方向へ移動し、それに伴って、弾性部２ｓは、弾性変形する。これにより、弾性部２ｓは、下方向の弾性力を被固定部２ｅに与えるため、固定体７の雄ネジ部７ｄと被固定部２ｅの雌ネジ部２ｇとの間でネジ緩みが発生することを抑制することができる。
【００５７】
また、本実施形態に係るマンコンベヤ１においては、前記弾性部２ｓは、前記雄ネジ部７ｄが前記雌ネジ部２ｇから離れる際に、復元状態である、という構成である。
【００５８】
斯かる構成によれば、固定体７の雄ネジ部７ｄが被固定部２ｅの雌ネジ部２ｇから離れる際に、弾性部２ｓが復元状態であるため、弾性部２ｓの弾性力は、被固定部２ｅに与えられていない。これにより、被固定部２ｅを横方向Ｄ１，Ｄ２に容易に移動させることができる。
【００５９】
また、本実施形態に係るマンコンベヤ１においては、前記固定体７は、下端部に、前記雄ネジ部７ｄの外径よりも小さい外幅を有する幅狭部７ｂを備える、という構成である。
【００６０】
斯かる構成によれば、幅狭部７ｂが、固定体７の下端部に配置されており、幅狭部７ｂの外幅は、雄ネジ部７ｄの外径よりも小さくなっている。これにより、固定体７の下端部を被固定部２ｅの雌ネジ部２ｇの内部に容易に挿入させることができる。
【００６１】
また、本実施形態に係るマンコンベヤ１においては、前記操作部７ａの外幅は、前記挿入孔６ｆの内幅よりも大きく、前記プレート部６ａは、前記挿入孔６ｆの上方側に、前記操作部７ａを収容するために前記操作部７ａの外幅よりも大きい内幅を有する収容孔６ｇを備え、前記固定体７は、下端部が前記被固定部２ｅに当たる際に前記操作部７ａの全体が前記収容孔６ｇから上方側へ出るように、形成される、という構成である。
【００６２】
斯かる構成によれば、収容孔６ｇが操作部７ａを収容するため、床プレート体６が固定体７によって構造体２に固定された際に、操作部７ａがプレート部６ａから上方向へ突出することを抑制することができる。一方、固定体７の下端部が被固定部２ｅに当たる際に、操作部７ａの全体は、収容孔６ｇから上方側へ出る。これにより、固定体７の下端部を被固定部２ｅの雌ネジ部２ｇの内部に挿入させる際に、操作部７ａの全体を操作することができる。
【００６３】
また、本実施形態に係るマンコンベヤ１においては、前記幅狭部７ｂの長さＬ１は、前記挿入孔６ｆと前記被固定部２ｅとの間の距離Ｌ２よりも、短い、という構成である。
【００６４】
斯かる構成によれば、幅狭部７ｂの長さＬ１が、挿入孔６ｆと被固定部２ｅとの間の距離Ｌ２よりも短いため、固定体７の下端部が被固定部２ｅに当たる際に、固定体７のうち、幅狭部７ｂよりも上方側の部分７ｃが挿入孔６ｆの内周部に当たることになる。これにより、固定体７が横方向Ｄ１，Ｄ２に揺動可能な範囲を小さくすることができる。
【００６５】
なお、マンコンベヤ１は、上記した実施形態の構成に限定されるものではなく、また、上記した作用効果に限定されるものではない。また、マンコンベヤ１は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００６６】
（１）上記実施形態に係るマンコンベヤ１においては、保持部２ｆは、ボルト２ｊ、ナット２ｋ及び平ワッシャ２ｍを備えており、第２規制部２ｉは、ボルト２ｊの頭部２ｒ及び平ワッシャ２ｍで構成されている、という構成である。しかしながら、マンコンベヤ１は、斯かる構成に限られない。
【００６７】
例えば、図１２〜図１４に示すように、保持部２ｆは、被固定部２ｅの下方側に配置される支持部２ｈと、被固定部２ｅの上方側に配置される平板状の第２規制部２ｉとを備えている、という構成でもよい。これにより、保持部２ｆは、被固定部２ｅが横方向Ｄ１，Ｄ２に移動することを許容し且つ被固定部２ｅが上下方向Ｄ３に移動することを規制するように、被固定部２ｅを保持する。
【００６８】
以下に、図１２〜図１４に係るマンコンベヤ１の構成について説明する。
【００６９】
保持部２ｆは、支持部２ｈと第２規制部２ｉとを接続する接続部２ｔを備えている。また、弾性部２ｓは、第２規制部２ｉと被固定部２ｅとの間に配置されている。そして、図１２に示すように、弾性部２ｓは、固定体７の雄ネジ部７ｄが被固定部２ｅの雌ネジ部２ｇから離れる際に、復元状態である。
【００７０】
そして、図１２に示すように、固定体７の雄ネジ部７ｄと被固定部２ｅの雌ネジ部２ｇとの位置がずれている場合には、図１３に示すように、被固定部２ｅは、横方向Ｄ１，Ｄ２に移動される。これにより、固定体７の雄ネジ部７ｄと被固定部２ｅの雌ネジ部２ｇとの位置を合わせることができる。
【００７１】
そして、固定部７の雄ネジ部７ｄが被固定部２ｅの雌ネジ部２ｇと螺合することによって、図１４に示すように、被固定部２ｅは、上方向へ移動し、第２規制部２ｉによって移動を規制される位置で停止する。このとき、弾性部２ｓが弾性変形するため、弾性部２ｓが下方向の弾性力を被固定部２ｅに与えている。これにより、固定体７の雄ネジ部７ｄと被固定部２ｅの雌ネジ部２ｇとの間でネジ緩みが発生することを抑制することができる。
【００７２】
（２）また、上記実施形態に係るマンコンベヤ１においては、保持部２ｆは、被固定部２ｅの下方側に配置される支持部２ｈと、被固定部２ｅの上方側に配置される第２規制部２ｉとを備えている、という構成である。しかしながら、マンコンベヤ１は、斯かる構成に限られない。
【００７３】
例えば、図１５〜図１７に示すように、保持部２ｆは、被固定部２ｅの下方側に配置される支持部２ｈと、支持部２ｈの下方側に配置される第２規制部２ｉとを備えている、という構成でもよい。即ち、被固定部２ｅと第２規制部２ｉは、支持部２ｈを上下方向Ｄ３で挟む、という構成でもよい。これにより、保持部２ｆは、被固定部２ｅが横方向Ｄ１，Ｄ２に移動することを許容し且つ被固定部２ｅが上下方向Ｄ３に移動することを規制するように、被固定部２ｅを保持する。
【００７４】
以下に、図１５〜図１７に係るマンコンベヤ１の構成について説明する。
【００７５】
保持部２ｆは、被固定部２ｅと第２規制部２ｉとを接続する接続部２ｔを備えている。また、弾性部２ｓは、支持部２ｈと第２規制部２ｉとの間に配置されている。そして、図１５に示すように、弾性部２ｓは、固定体７の雄ネジ部７ｄが被固定部２ｅの雌ネジ部２ｇから離れる際に、復元状態である、
【００７６】
そして、図１５に示すように、固定体７の雄ネジ部７ｄと被固定部２ｅの雌ネジ部２ｇとの位置がずれている場合には、図１６に示すように、被固定部２ｅは、横方向Ｄ１，Ｄ２に移動される。これにより、固定体７の雄ネジ部７ｄと被固定部２ｅの雌ネジ部２ｇとの位置を合わせることができる。
【００７７】
そして、固定部７の雄ネジ部７ｄが被固定部２ｅの雌ネジ部２ｇと螺合することによって、図１７に示すように、被固定部２ｅは、上方向へ移動し、第２規制部２ｉによって移動を規制される位置で停止する。このとき、弾性部２ｓが弾性変形するため、弾性部２ｓは、第２規制部２ｉ及び接続部２ｔを経由して、下方向の弾性力を被固定部２ｅに与えている。これにより、固定体７の雄ネジ部７ｄと被固定部２ｅの雌ネジ部２ｇとの間でネジ緩みが発生することを抑制することができる。
【００７８】
（３）また、上記実施形態に係るマンコンベヤ１においては、固定体７の雄ネジ部７ｄの下端部が被固定部２ｅの雌ネジ部２ｇの上開口端部に当たる際に、固定体７の操作部７ａの全体は、プレート部６ａの収容孔６ｇから上方側へ出ている、という構成である（図９参照）。しかしながら、マンコンベヤ１は、斯かる構成に限られない。
【００７９】
例えば、図１８及び図１９に示すように、固定体７は、雄ネジ部７ｄの下端部が被固定部２ｅの雌ネジ部２ｇの上開口端部に当たる際に操作部７ａの少なくとも一部が収容孔６ｇの内部に収容されるように、形成される、という構成でもよい。
【００８０】
斯かる構成によれば、図１８に示すように、固定体７の下端部が被固定部２ｅに当たる際に、操作部７ａの全体は、プレート部６ａの収容孔６ｇから上方側へ出た状態となる。そして、固定体７の下端部が被固定部２ｅの雌ネジ部２ｇに挿入され、図１９に示すように、固定体７の雄ネジ部７ｄの下端部が被固定部２ｅの雌ネジ部２ｇの上開口端部に当たる際に、操作部７ａの少なくとも一部が収容孔６ｇの内部に収容される状態となる。
【００８１】
このように、操作部７ａの全体がプレート部６ａの収容孔６ｇから上方側へ出た状態から、固定体７の雄ネジ部７ｄの下端部が被固定部２ｅの雌ネジ部２ｇの上開口端部に当たることによって、操作部７ａの少なくとも一部が収容孔６ｇの内部に収容される状態となる。したがって、例えば、固定体７の雄ネジ部７ｄの下端部が被固定部２ｅの雌ネジ部２ｇの上開口端部に当たる状態になったことを容易に把握することができる。
【００８２】
（４）また、マンコンベヤ１においては、図１８及び図１９に示すように、固定体７は、幅狭部７ｂから雄ネジ部７ｄへ向けて、被固定部２ｅの雌ネジ部２ｇを案内する案内部７ｆを備えている、という構成でもよい。特に限定されないが、図１８及び図１９に示すように、案内部７ｆは、幅狭部７ｂから雄ネジ部７ｄへ向けて、外幅が次第に大きくなるように、形成されてもよい。即ち、案内部７ｆの外周部は、下方側へ向けて縮径するテーパ状に形成されてもよい。
【００８３】
斯かる構成によれば、固定体７の幅狭部７ｂが被固定部２ｅの雌ネジ部２ｇに挿入した後、固定体７が下方向へ移動されることによって、固定体７の案内部７ｆは、被固定部２ｅの雌ネジ部２ｇを案内する。これにより、被固定部２ｅが横方向Ｄ１，Ｄ２に移動することによって、固定体７の雄ネジ部７ｄと被固定部２ｅの雌ネジ部２ｇとの位置を合わせることができる。
【００８４】
（５）また、マンコンベヤ１においては、被固定部２ｅは、雌ネジ部２ｇの上方側に、固定体７の下端部を雌ネジ部２ｇへ向けて案内する案内孔部を備えている、という構成でもよい。特に限定されないが、例えば、案内孔部は、下方側の雌ネジ部２ｇへ向けて、内幅が次第に小さくなるように、形成されてもよい。即ち、案内孔部の内周部は、雌ネジ部２ｇから上方側へ向けて開口が広がる（拡径）するテーパ状に形成されてもよい。
【００８５】
（６）また、上記実施形態に係るマンコンベヤ１においては、操作部７ａは、下端部が規制部７ｅを構成するために、挿入孔６ｆの内幅よりも大きい外幅を有する、という構成である。しかしながら、マンコンベヤ１は、斯かる構成に限られない。例えば、固定体７は、挿入孔６ｆの内周部の雌ネジと螺合する雄ネジを備え、当該雄ネジは、挿入孔６ｆの雌ネジと螺合することによって、プレート部６ａの上方向への移動を規制する規制部７ｅを構成する、という構成でもよい。
【００８６】
例えば、固定体７の雄ネジ部７ｄは、操作部７ａの下端部まで配置されており、挿入孔６ｆの内周部の雌ネジは、被固定部２ｅの雌ネジ部２ｇと同じネジ形状である、という構成でもよい。また、例えば、固定体７は、雄ネジ部７ｄよりも上方側に、雄ネジ部７ｄの外径よりも大きい外径である雄ネジを備え、当該雄ネジは、挿入孔６ｆの内周部の雌ネジと螺合する、という構成でもよい。なお、操作部７ａの外幅は、例えば、挿入孔６ｆの内幅よりも、小さい、という構成でもよい。
【００８７】
（７）また、上記実施形態に係るマンコンベヤ１においては、弾性部２ｓは、固定体７の雄ネジ部７ｄが被固定部２ｅの雌ネジ部２ｇから離れる際に、復元状態である、という構成である。しかしながら、マンコンベヤ１は、斯かる構成に限られない。例えば、弾性部２ｓは、固定体７の雄ネジ部７ｄが被固定部２ｅの雌ネジ部２ｇから離れる際でも、即ち、常時、弾性変形している状態である、という構成でもよい。なお、構造体２は、例えば、弾性部２ｓを備えていない、という構成でもよい。
【００８８】
（８）また、上記実施形態に係るマンコンベヤ１においては、固定体７の下端部が被固定部２ｅに当たる際に、操作部７ａの全体が収容孔６ｇから上方側へ出る、という構成である。しかしながら、マンコンベヤ１は、斯かる構成に限られない。
【００８９】
例えば、固定体７の下端部が被固定部２ｅに当たる際に、操作部７ａの少なくとも一部が収容孔６ｇの内部に収容されている、という構成でもよい。また、例えば、プレート部６ａは、収容孔６ｇを備えておらず、操作部７ａは、常に、プレート部６ａの上方側に出ている、という構成でもよい。
【００９０】
（９）また、上記実施形態に係るマンコンベヤ１においては、固定体７の幅狭部７ｂの長さＬ１は、プレート部６ａの挿入孔６ｆと構造体２の被固定部２ｅとの間の距離Ｌ２よりも、短い、という構成である。しかしながら、マンコンベヤ１は、斯かる構成に限られない。例えば、幅狭部７ｂの長さＬ１は、挿入孔６ｆと被固定部２ｅとの間の距離Ｌ２よりも、長い、という構成でもよい。また、例えば、固定体７は、幅狭部７ｂを備えておらず、雄ネジ部７ｄは、固定体７の下端部に配置されている、という構成でもよい。
【符号の説明】
【００９１】
１…マンコンベヤ、１ａ…乗降部、１ｂ…乗降床部、２…構造体、２ａ…機械室、２ｂ…構造本体部、２ｃ…上枠部、２ｄ…連結部、２ｅ…被固定部、２ｆ…保持部、２ｇ…雌ネジ部、２ｈ…支持部、２ｉ…第２規制部、２ｊ…ボルト、２ｋ…ナット、２ｍ…平ワッシャ、２ｎ…挿通孔、２ｐ…雌ネジ、２ｑ…挿通孔、２ｒ…頭部、２ｓ…弾性部、２ｔ…接続部、３…搬送部、３ａ…走行部、３ｂ…ステップ、４…欄干部、４ａ…手摺ベルト、４ｂ…ベルト支持部、５…駆動部、５ａ…回転部、５ｂ…駆動源、６…床プレート体、６ａ…プレート部、６ｂ…補強部、６ｃ…位置変更部、６ｄ…ナット、６ｅ…ボルト、６ｆ…挿入孔、６ｇ…収容孔、７…固定体、７ａ…操作部、７ｂ…幅狭部、７ｃ…幅広部、７ｄ…雄ネジ部、７ｅ…第１規制部、７ｆ…案内部、Ｄ１…前後方向、Ｄ２…幅方向、Ｄ３…上下方向
【要約】
【課題】  床プレート体が構造体から外れることを抑制できるマンコンベヤを提供する。
【解決手段】  マンコンベヤは、躯体に設置される構造体と、乗降部の床を構成するプレート部を有し、構造体の上に設置される床プレート体と、床プレート体を構造体に固定する固定体と、を備え、プレート部は、固定体に挿入される挿入孔を備え、固定体は、プレート部の上方側から操作可能な操作部と、プレート部よりも下方側に配置される雄ネジ部と、プレート部が上方向へ移動することを規制する規制部と、を備え、構造体は、雄ネジ部と螺合する雌ネジ部を有する被固定部と、被固定部が横方向に移動することを許容し且つ被固定部が上下方向に移動することを規制するように、被固定部を保持する保持部と、を備える。
【選択図】  図５【図１】
0006923028.tif 000002
【図２】
0006923028.tif 000003
【図３】
0006923028.tif 000004
【図４】
0006923028.tif 000005
【図５】
0006923028.tif 000006
【図６】
0006923028.tif 000007
【図７】
0006923028.tif 000008
【図８】
0006923028.tif 000009
【図９】
0006923028.tif 000010
【図１０】
0006923028.tif 000011
【図１１】
0006923028.tif 000012
【図１２】
0006923028.tif 000013
【図１３】
0006923028.tif 000014
【図１４】
0006923028.tif 000015
【図１５】
0006923028.tif 000016
【図１６】
0006923028.tif 000017
【図１７】
0006923028.tif 000018
【図１８】
0006923028.tif 000019
【図１９】
0006923028.tif 000020